(57)【特許請求の範囲】
【請求項１】
ムーブメントが収納される内胴と、該内胴の少なくとも一部を覆う外胴とより成る胴を備え、前記内胴と前記外胴との間に配置される弾性を有する胴間緩衝体、及び前記内胴と前記外胴を固定するための固定部材と、前記胴の内部に収納されたムーブメントの巻真に連結される巻真連結部と該巻真連結部に係合するリューズを有する腕時計において、
前記固定部材は、頭部と先端部と該先端部と前記頭部との間に形成される外周部よりなり、前記外周部は前記前記内胴又は前記外胴の一方と結合すると共に、前記先端部は前記内胴又は前記外胴の他方に形成した孔内で固定部材緩衝体に係合し保持されることによって前記内胴と前記外胴が固定されることを特徴とする腕時計ケース。
【請求項２】
前記固定部材の外周部はネジ部により構成され、前記外胴に前記ネジ部で螺合固定されると共に、前記先端部が前記内胴に形成した孔内に嵌められた前記固定部材緩衝体に係合することを特徴とする請求項１に記載の腕時計ケース。
【請求項３】
前記固定部材は前記胴間緩衝体を貫通して前記内胴および前記外胴に結合することを特徴とする請求項１又は２に記載の腕時計ケース。
【請求項４】
前記固定部材は複数個所において前記内胴と前記外胴に結合することを特徴とする請求項１から請求項３のいずれかに記載の腕時計ケース。
【請求項５】
前記固定部材緩衝体は、前記固定部材の先端部が挿入可能な有底の筒体、あるいはリング状の筒体のいずれかより形成されていることを特徴とする請求項１から請求項４のいずれかに記載の腕時計ケース。
【請求項６】
前記巻芯連結部と前記ムーブメントとの間に、前記巻芯連結部が前記ムーブメントの内部方向に向かって移動することを抑止する移動規制部材とを備えたことを特徴とする請求項１から請求項５のいずれかに記載の腕時計ケース。
【請求項７】
前記外胴の底部には開口が形成されていて、該開口より前記胴間緩衝体の底面と前記内胴の底部が露出していて、前記内胴の底部より前記胴間緩衝体の底面が外方に突出していると共に、前記胴間緩衝体の底面より前記外胴の底部が外方に突出していることを特徴とする請求項１から請求項６のいずれかに記載の腕時計ケース。
【請求項８】
前記胴間緩衝体は、前記内胴及び前記外胴と凹凸係合していることを特徴とする請求項７に記載の腕時計ケース。
【発明の詳細な説明】
【０００１】
【発明の属する技術分野】
本発明は、腕時計ケース、特にケース内のモジュールを保護する耐衝撃構造を有する時計ケースに関するものである。
【０００２】
【従来の技術】
耐衝撃構造として、実公平６−１７１１０号公報記載の時計ケースが知られている。図１７はその時計ケースを示す断面図で、金属製の内胴１とペルプレンなどの硬質な合成樹脂より成る外胴２との間に、ポリウレタンゴムなどの弾性材より成る緩衝体が設けられる。この緩衝体３は外胴と緩衝体を貫通した固定ネジ４を内胴１に螺入することにより内胴１と外胴２との間に固定されている。
図１８は、上記の従来技術にネジロックリューズを採用した場合の断面である。このネジロックリューズは、内胴１の孔６に固定された支持筒７と、支持筒７のネジ部にネジ８で結合支持されたリューズヘッド１０と、時計の巻芯１１にネジ１２で結合され、支持筒７に回転可能に支持された巻芯連結部材１３と、巻芯連結部材１３とヘッド１０との間に設けられたコイルスプリング１４と連結部材１３に嵌合した抜け止リング９とよりなる。
リューズヘッド１０を回転させてネジ部８が支持筒７より外れると、コイルスプリング１４によりヘッド１０が外方に突出し、ヘッド内壁の断面多角形の係合孔部１５が巻芯連結部材１３の対応する外壁多角形係合部１６と係合し、ヘッドを回すことにより連結部材１３を介して巻芯１１を回転させ、時計を合わせることができる。
【０００３】
【発明が解決しようとする課題】
図１７の従来技術に用いられているペルプレンなどの硬質な合成樹脂による外胴２は異物との接触、衝撃等に対し充分な耐傷性や耐摩耗性を発揮できない。従って、長期にわたり腕時計を使用した場合、外胴に傷がついたり、摩耗することになる。
また、固定ネジ４が内胴に螺入されているので、固定ネジに衝撃が加わると、その衝撃が内胴に伝わり、内胴に収納されたムーブメントが破壊されることがある。
一方、図１８のネジロックリューズを用いた場合、外胴２に衝撃が加わると、巻芯連結部１３と巻芯１１がムーブメント１７の内部に移動し、巻芯が、ムーブメント内部の歯車などの構成部品にぶつかり、ムーブメントの構成部品が外れたり、破壊されたりする。
【０００４】
従って、本発明の第一の目的は、外胴に充分な耐傷性や耐摩耗性を付与できる腕時計ケースを提供するにある。
第二の目的は、外胴からムーブメントに衝撃が伝わりにくい腕時計ケースを提供することにある。
本発明の第三の目的は、リューズからムーブメントに衝撃が伝わりにくく、リューズがムーブメントを破壊することのない腕時計ケースを提供することである。
【０００５】
【課題を解決するための手段】
請求項１による発明は、ムーブメントが収納される内胴と、該内胴の少なくとも一部を覆う外胴とより成る胴を備え、前記内胴と前記外胴との間に配置される弾性を有する胴間緩衝体、及び前記内胴と前記外胴を固定するための固定部材と、前記胴の内部に収納されたムーブメントの巻真に連結される巻真連結部と該巻真連結部に係合するリューズを有する腕時計において、前記固定部材は、頭部と先端部と該先端部と前記頭部との間に形成される外周部よりなり、前記外周部は前記前記内胴又は前記外胴の一方と結合すると共に、前記先端部は前記内胴又は前記外胴の他方に形成した孔内で固定部材緩衝体に係合し保持されることによって前記内胴と前記外胴が固定されることを特徴とする。
外胴に衝撃が加わっても、その衝撃は胴間緩衝体に吸収されるので、内胴に収納されたムーブメントを衝撃から保護することができる。また、固定部材が外周部を内胴又は外胴の一方と結合し、先端部は内胴又は外胴の他方に形成した孔内で固定部材緩衝体に係合するので、外胴や固定部材に衝撃が加わっても、その衝撃は固定部材緩衝体に吸収されるので内胴へ衝撃は伝わりにくく、従って内胴内のムーブメントを衝撃から保護することができる。
【０００６】
請求項２による発明は、前記固定部材の外周部はネジ部により構成され、前記外胴に前記ネジ部で螺合固定されると共に、前記先端部が前記内胴に形成した孔内に嵌められた前記固定部材緩衝体に係合することを特徴とする。
固定部材のネジ部は外胴に固定されており、先端部は内胴の孔内の固定部材緩衝体に係合しているので、固定部材に衝撃が加わっても、その衝撃は内胴に伝わりにくく、従って、内胴に収納されたムーブメントを衝撃から保護することができる。
【０００７】
請求項３による発明は、前記固定部材は前記胴間緩衝体を貫通して前記内胴および前記外胴に結合することを特徴とする。
【０００８】
請求項４による発明は、前記固定部材は複数個所において前記内胴と前記外胴に結合することを特徴とする。
【０００９】
請求項５による発明は、前記固定部材緩衝体は、前記固定部材の先端部が挿入可能な有底の筒体、あるいはリング状の筒体のいずれかより形成されていることを特徴とする。
固定部材の先端部が固定部材緩衝体に挿入されるので、確実に固定部材と固定部材緩衝体とが当接する。
【００１０】
請求項６による発明は、前記巻芯連結部と前記ムーブメントとの間に、前記巻芯連結部が前記ムーブメントの内部方向に向かって移動することを抑止する移動規制部材とを備えたことを特徴とする。
リューズに衝撃が加わっても移動規制部材に阻まれて、巻芯連結部と巻芯がムーブメントの内部に向けて移動しない。従って、ムーブメント内部の歯車などの構成部品が外れたり、破壊されたりする危険が排除される。
【００１１】
請求項７による発明は、前記外胴の底部には開口が形成されていて、該開口より前記胴間緩衝体の底面と前記内胴の底部が露出していて、前記内胴の底部より前記胴間緩衝体の底面が外方に突出していると共に、前記胴間緩衝体の底面より前記外胴の底部が外方に突出していることを特徴とする。
胴間緩衝体の底面が露出し内胴の底部より胴間緩衝体の底面が外方に突出しているので、胴間緩衝体が手首に柔らかく当接するため腕時計の装着感が良いと共に、外胴に下面側から加わる衝撃も吸収できる。
【００１３】
請求項８による発明は、前記胴間緩衝体は、前記内胴及び前記外胴と凹凸係合していることを特徴とする。
衝撃が加わっても、胴間緩衝体の位置がずれたり、胴間緩衝体が胴から外れたりすることが無い。
【００１８】
【発明の実施の形態】
図１は本発明によるケースを用いた腕時計の平面図、図２はその正面図、図３は裏面図、図４は右側面図、図５は図１のＶ−Ｖ断面図、図６は図５の分解図、図７は図１のVII−VII断面図、図８は図７の分解図、図９は図１のIX−IX断面図、
図１０は図９の分解図である。
本発明による腕時計ケースは金属製の内胴２０及び金属製の外胴２１よりなり、外胴２１はバンド２２を連結する為の一対の連結脚２３が両側に形成されている。金属としては、チタンやチタン合金などの硬質な素材が好ましい。
【００１９】
内胴２０は図５及び６に示すように本体２０ａとカバー２０ｂよりなる。カバー２０ｂと本体２０ａとの間には、環状で合成樹脂製の弾性を有する緩衝体２４、保持リング２５が挟まれ、保持リング２５と本体２０ａの底部２０ｃとの間には、緩衝体２６、見返リング２７、緩衝体２８、ムーブメント３０、支持板３１等が順次重ねられ、カバー２０ｂはネジ３２により本体２０ａに固定され、風防３３、文字板３４等を固定している。
内胴２０と外胴２１との間には、環状で合成樹脂製の弾性を有する緩衝体３５が介在される。両胴は、円周上４個所において半径方向に配設された固定部材である固定ネジ３６により固定されている。緩衝体３５は外胴２１に対し凹凸部３９で係合しているので、外胴に衝撃が加えられても緩衝体がずれたり外れたりすることがない。
【００２０】
固定ネジ３６は、図５に示すように、頭部３６ａ、大径部ネジ３６ｂ、小径先端部３６ｃよりなる。大径部ネジ３６ｂが、固定ネジ３６の固定手段として機能する。ネジ３６ｂは外胴２１のネジに螺合し、先端部３６ｃは緩衝体３５を貫通し、内胴２０の孔３７に嵌められたカップ状の緩衝体３８内に係合している。尚、緩衝体３８は底のない筒体でもよい。
本時計ケースにはネジロックリューズ４０が採用されている。このリューズは構造は図１８に示した従来のものと同じで、図６には、図１８と同一部分には同一符号を付して説明を省略する。図１８と異なる部分は、リューズヘッド１０が外胴２１に係合固定されたガードパイプ４１内に摺動及び回転可能に支持されている点、及びヘッドの表面に、ヘッドを硬貨により回転する為の凹部１０ａが形成されている点である。
【００２１】
本発明によれば、巻芯連結部材１３とムーブメント３０との間に巻芯１１を囲んで金属製で環状の軸方向移動規制部材４２が設けられている。更に、リューズヘッド１０がネジ部８で支持筒７に固定された状態では、リューズヘッド１０の外側面がガードパイプ４１の外周面より内方に位置している。
腕時計ケースのネジロックリューズ４０の在る側に対し反対側の対称位置には係合部材４３が設けられている。係合部材４３は、図９に示すようにヘッド４３ａ、大径部ネジ４３ｂ、小径先端部４３ｃよりなり、ネジ４３ｂが外胴２１に螺合し、先端部４３ｃが緩衝体３５の孔３５ｂに係合している。
【００２２】
外胴２１の底部には円形の開口４４が形成され、そこより緩衝体３５の底部３５ａが露出している。また緩衝体３５の一部が内胴２０の底の一部を掩いまた内胴２０の底より外方に突出している。内胴２０と内胴２０より突出する緩衝体３５の底部３５ａとの係合は凹凸係合をしているので、緩衝体３５の外れや移動を防止する。かかる凹凸係合は、凹凸が逆であってもかまわない。すなわち、緩衝体３５の凸部を内胴の凹部内に挿入しても良い。
外胴２１は金属で作られているので、外部の異物との接触、衝突等による損傷、摩耗等の不都合を生じることはない。
また、外胴２１と内胴２０を固定する固定ネジ３６は、外胴２１に螺合し、その先端部３６ｃは内胴２０の孔３７に挿入された緩衝体３８内に係合しているので、固定ネジに外部より衝撃を加えられても、内胴に及ぶことはなく、内胴内のムーブメント、モジュール等を破損することはない。
【００２３】
更に、ネジロックリューズの巻芯連結部材１３とムーブメント３０との間に巻芯１１を囲んで環状の移動規制部材４２が設けられているので、リューズヘッド１０に衝撃が加えられても連結部材１３は動くことなく、従って巻芯を押し込みムーブメント内部の部材を破損することはない。また、リューズヘッド１０の外側面がガードパイプ４１の外周面より内方に位置しているので、衝撃がヘッドに直接加わることがない。従って、衝撃によって巻芯が損傷することがない。
又、緩衝体３５の底面３５ａが外胴２１の開口４４から露出し、また内胴の底より突出しているので、ケースを落とした時の内胴に対する緩衝が得られる。さらに、緩衝体３５が手首に柔軟に接するので、装着感が向上する。
又、係合部材４３の端部４３ｃが緩衝体３５の孔に係合しているので、緩衝体が移動したり、外れたりすることがない。
尚、上記の実施例においては、固定手段をネジとしたが、かかる固定手段は、接着、圧入、ロー付け、あるいは溶接などの他に知られた手段に代えてもかまわない。
更に、緩衝体としては、ポリウレタンゴムなどの柔軟な素材が好ましいが、衝撃を緩衝できるものであれば、何であってもかまわない。例えば、金属性のコイルスプリングであっても良い。
【００２４】
図１４は本発明の第二の実施形態を示す断面図である。
この形態においては固定ネジ３６が内胴２０の内側より、内胴のネジ部に螺入され、カップ状緩衝体３８が外胴２１の孔に挿入され、ネジの小径端部３６ｃが之に係合している。
この例においても、緩衝体３８により外胴２１に加わる衝撃を緩和することができる。
【００２５】
図１５は第三の実施形態を示す断面図である。この例においては、固定ネジ４６の本体は同一径で、ネジ４７が内胴２０のネジに螺入され、ヘッド４８と緩衝体３８との間に筒状の緩衝体５０が嵌合されている。
この実施形態においては、緩衝体５０によって外胴２１に加わる衝撃を緩和する。
【００２６】
図１６は第四実施形態を示し、ここでは、通常のリューズ５１が設けられている。このリューズはその外側面がガードパイプ５２の外周面より内方に位置してガードパイプ内に収められている。リューズ５１の巻芯連結部５１ａの内端とムーブメント５３との間に緩衝体５４が設けられ、ムーブメント内の部材が破損するのを防いでいる。  ガードパイプ５２には切欠５５が設けられ、ここより指先を入れ、リューズ５１を引出し、時刻を合わせることができるようになっている。
【００２７】
【発明の効果】
外胴が金属で作られているので、外部の異物との接触、衝突等により損傷、摩耗等の不都合を生ずることがない。
また、外胴と内胴を固定する固定ネジは、その先端部が胴の孔に挿入された緩衝体内に係合しているので、固定ネジに外部より衝撃を加えられても、内胴に及ぶことはなく、内胴内のムーブメント、モジュール等を破損することはない。
【００２８】
更に、ネジロックリューズの巻芯連結部材とムーブメントとの間に巻芯を囲んで移動規制部材が設けられているので、リューズのヘッドに衝撃が加えられても連結部材は動くことなく、従って巻芯を押し込みムーブメント内部の部材を破損することはない。また、リューズヘッドの外側面がガードパイプの外周面より内方に位置しているので、衝撃がヘッドに直接加わることがない。従って、衝撃によって巻芯が損傷することがない。
また、緩衝体の底面が外胴の開口から露出しているので、ケースを落した時の緩衝が得られる。
【図面の簡単な説明】
【図１】本発明によるケースを用いた腕時計の平面図である。
【図２】同正面図である。
【図３】同裏面図である。
【図４】同右側面図である。
【図５】図１のＶ−Ｖ断面図である。
【図６】図５の分解図である。
【図７】図１のVII−VII断面図である。
【図８】図７の分解図である
【図９】図１のIX−IX断面図である。
【図１０】図９の分解図である。
【図１１】本発明による時計ケースの分解平面図である。
【図１２】同分解側面図である。
【図１３】図１２とは別の方向から見た分解側面図である。
【図１４】本発明の第二の実施形態を示す断面図である。
【図１５】本発明の第三の実施形態を示す断面図である。
【図１６】本発明の第四の実施形態を示す断面図である。
【図１７】従来の時計ケースを示す断面図である。
【図１８】ネジロックリューズを採用した従来の時計ケースを示す断面図である。
【符号の説明】
１  内胴
２  外胴
３  緩衝体
４  固定ネジ
６  孔
７  支持筒
８  ネジ部
９  抜け止リング
１０  リューズヘッド
１０ａ  凹部
１１  時計の巻芯
１２  ネジ
１３  巻芯連結部材
１４  コイルスプリング
１５  係合孔部
１６  外壁多角形係合部
１７  ムーブメント
２０  内胴
２０ａ  本体
２０ｂ  カバー
２０ｃ  底部
２１  外胴
２２  バンド
２３  連結脚
２４  緩衝体
２５  保持リング
２６  緩衝体
２７  見返リング
２８  緩衝体
３０  ムーブメント
３１  支持板
３２  ネジ
３３  風防
３４  文字板
３５  緩衝体
３５ａ  底面
３５ｂ  孔
３６  固定ネジ
３６ａ  頭部
３６ｂ  大径部ネジ
３６ｃ  小径先端部
３７  孔
３８  緩衝体
３９  凹凸部
４０  ネジロックリューズ
４１  ガードパイプ
４２  環状の移動規制部材の外側面
４３  係合部材
４３ａ  ヘッド
４３ｂ  大径部ネジ
４３ｃ  小径先端部
４４  開口
４６  固定ネジ
４７  ネジ
４８  ヘッド
５０  緩衝体
５１  リューズ
５１ａ  巻芯連結部
５２  ガードパイプ
５３  ムーブメント
５４  緩衝体
５５  切欠
【図１】
0004362160.tif 000002
【図２】
0004362160.tif 000003
【図３】
0004362160.tif 000004
【図４】
0004362160.tif 000005
【図５】
0004362160.tif 000006
【図６】
0004362160.tif 000007
【図７】
0004362160.tif 000008
【図８】
0004362160.tif 000009
【図９】
0004362160.tif 000010
【図１０】
0004362160.tif 000011
【図１１】
0004362160.tif 000012
【図１２】
0004362160.tif 000013
【図１３】
0004362160.tif 000014
【図１４】
0004362160.tif 000015
【図１５】
0004362160.tif 000016
【図１６】
0004362160.tif 000017
【図１７】
0004362160.tif 000018
【図１８】
0004362160.tif 000019